(57)【要約】【課題】流体による応力が加わってもシャフト本体に左右のブレを生じ難いスポーツ道具用シャフトを提供する。【解決手段】円柱状に形成されたシャフト本体２０と、該シャフト本体２０の外周面に１２０度間隔で長手方向に延設され、前記シャフト本体２０が流体に対して相対的に移動する際に生じる抗力を減少させる突条３０とを備えることを特徴とするスポーツ道具用シャフト１０。なお、使用に際して、前記シャフト本体２０が前記流体に対して方向性を有して相対的に移動することを特徴とするスポーツ道具用シャフト１０としてもよく、また、使用に際して、前記シャフト本体２０が前記流体に対して方向性を有さずに相対的に移動することを特徴とするスポーツ道具用シャフト１０としてもよい。【選択図】図１
2006094887.tif 000002
【特許請求の範囲】
【請求項１】
円柱状に形成されたシャフト本体と、
該シャフト本体の外周面に１２０度間隔で長手方向に延設され、前記シャフト本体が流体に対して相対的に移動する際に生じる抗力を減少させる突条と
を備えることを特徴とするスポーツ道具用シャフト。
【請求項２】
使用に際して、前記シャフト本体が前記流体に対して方向性を有して相対的に移動することを特徴とする請求項１に記載のスポーツ道具用シャフト。
【請求項３】
使用に際して、前記シャフト本体が前記流体に対して方向性を有さずに相対的に移動することを特徴とする請求項１に記載のスポーツ道具用シャフト。
【発明の詳細な説明】
【技術分野】
【０００１】
本発明は、スポーツ道具用シャフトに関するものであり、詳しくは、ゴルフクラブや釣竿等の各種のスポーツ道具に用いられるスポーツ道具用シャフトに関するものである。
【背景技術】
【０００２】
ゴルフクラブや釣竿等のスポーツ道具は、円柱状に形成されたシャフト本体を有しており、このシャフト本体は、スポーツ道具の使用に際して、流体に対して相対的に移動する。
【０００３】
例えば、ゴルフクラブでは、基端部分が握り部とされると共に先端にクラブヘッドが取り付けられたシャフト本体が、スイングの際に、空気に対して相対的に移動する。また、投げ釣り用の釣竿では、基端部分が握り部とされると共に先端部分が穂先とされたシャフト本体（ロッドとも称する）が、スイングの際に、空気に対して相対的に移動する。なお、スポーツ道具としては、使用に際してシャフト本体が空気に対して相対的に移動するものばかりでなく、ボートのオールやタモ網等のように、シャフト本体が水に対して相対的に移動するものもある。
【０００４】
上述のように使用に際してスイングされるスポーツ道具では、具備するシャフト本体が流体に対して一方向に、すなわち、方向性を有して相対的に移動するのであるが、スポーツ道具の中には、具備するシャフト本体が方向性を有さずに流体に対して相対的に移動するものもある。
【０００５】
例えば、釣竿では、釣りの最中にシャフト本体に様々な方向から風が当たるため、シャフト本体が空気に対して、多方向に、すなわち、方向性を有さずに移動する。また、応援団の団旗の支柱となるシャフト本体（ポールとも称する）でも同様に、シャフト本体が空気に対して方向性を有さずに移動する。
【０００６】
ところで、スポーツ道具用のシャフト等、流体に対して相対的に移動する円柱状の部材において、その移動を円滑に行わせるためには、流体の流れにより生じる抗力を減少させるのがよく、この抗力を減少させるための手法として、従来から種々の手法が提案されている。例えば、本願出願人は、円柱状の部材の外周面に長手方向に沿って左右一対の突条を、流体の流れに対して後方に設けたり、または、前方に設けたりすることで、上記抗力を良好に減少させることができることを、既に提案している。なお、以下では、シャフト本体の方向について、便宜上、流体の流れに対して上流側を「前」、下流側を「後」と定義する。
【０００７】
【特許文献１】特許第３５１０１４３号公報
【特許文献２】特開２００４−３３４８１号公報
【発明の開示】
【発明が解決しようとする課題】
【０００８】
しかしながら、スポーツ道具用の円柱状のシャフト本体において、左右一対の突条をシャフト本体の後側や前側に単に設けただけでは、流体の流れによって生じる効力を減少させることはできるものの、以下の問題が生じる。
【０００９】
例えば、図５に示すように、シャフト本体２０の前面に当たる流体が、シャフト本体２０の外周面に沿って左右に均等に振り分けられずにシャフト本体２０の後方へと流れることがある（図示Ａ部分参照）。また、シャフト本体２０の後方に生じたカルマン渦が、シャフト本体２０の左右において均等に流れず、左右に入り乱れることがある（図示Ｂ部分参照）。なお、図５には、シャフト本体２０の前側に左右一対の突条３０を設けた例を示したが、シャフト本体２０の後側に左右一対の突条３０を設けた場合も同様である。
【００１０】
このように、シャフト本体の前面に当たる流体がシャフトの左右に不均等に流れたり、シャフトの後方に生じたカルマン渦が左右に入り乱れたりすると、シャフト本体に加わる流体の流れによる応力が左右不均等となり、シャフト本体に左右のブレを生じさせるといった問題を生じる。ここで、ゴルフクラブ等、シャフト本体がスイングされるスポーツ道具では、シャフト本体に左右のブレが生じると、正確なスイングを実現できなくなってしまう。また、釣竿等、シャフト本体がスイングされないスポーツ道具であっても、使用中のシャフト本体にブレが生じていると、シャフト本体を安定させるために、シャフト本体にブレを抑えるための力を常に加えていなければならず、長時間使用するスポーツ道具として不適となってしまう。特に、釣竿では、シャフト本体のブレによって魚の微妙なアタリを的確に捕らえることができなくなるといった不具合をも生じる。
【００１１】
本発明は、上記実状を鑑みてなされたものであり、流体による応力が加わってもシャフト本体に左右のブレを生じ難いスポーツ道具用シャフトの提供を課題とする。
【課題を解決するための手段】
【００１２】
上記課題を解決するために本発明の採った主要な手段は、
「円柱状に形成されたシャフト本体と、
該シャフト本体の外周面に１２０度間隔で長手方向に延設され、前記シャフト本体が流体に対して相対的に移動する際に生じる抗力を減少させる突条と
を備えることを特徴とするスポーツ道具用シャフト」
である。
【００１３】
上記構成のスポーツ道具用シャフトでは、シャフト本体の外周面に突条が１２０度間隔で設けられているため、シャフト本体の外周面に等間隔に配置された３つの突条備えるものとなる。よって、例えば図１（ａ）に示すように、２つの突条３０をシャフト本体２０の前面の左右に等間隔に配置すれば、残りの１つの突条３０は、シャフト本体２０の後面の中央部分に配置されることになる。そして、シャフト本体２０の前面の左右に等間隔で配置された２つの突条３０によって、シャフト本体２０に加わる流体の抗力が減少される一方で、シャフト本体２０の後面の中央部分に配置された突条３０によって、シャフト本体２０の後方に生じるカルマン渦が、左右に入り乱れることなくシャフト本体２０の後方に整然と流される（図示Ｃ部分参照）。従って、シャフト本体２０に左右のブレを生じ難くすることができる。
【００１４】
また、例えば図１（ｂ）に示すように、２つの突条３０をシャフト本体２０の後面の左右に等間隔に配置すれば、残りの１つの突条３０は、シャフト本体２０の前面の中央部分に配置されることになる。そして、シャフト本体２０の後面の左右に等間隔で配置された２つの突条３０によって、シャフト本体２０に加わる流体の抗力が減少される一方で、シャフト本体の前面の中央部分に配置された突条３０によって、シャフト本体２０の前面に当たる流体が、シャフト本体２０の左右に均等に振り分けられてシャフト本体２０の外周面に沿って流される。従って、シャフト本体２０に左右のブレを生じ難くすることができる。
【００１５】
上述した手段において、
「使用に際して、前記シャフト本体が前記流体に対して方向性を有して相対的に移動することを特徴とするスポーツ道具用シャフト」
としてもよい。
【００１６】
ゴルフクラブや投げ釣り用の釣竿等、シャフト本体が流体に対して方向性を有して相対的に移動するスポーツ道具では、流体の抗力を減少させるために左右一対の突条が設けられたシャフト本体が方向性を有するものとなる。このため、例えばゴルフクラブのクラブヘッドや釣竿の釣糸ガイド（リールに巻回された釣り糸を竿先に案内する円環状の部材）等、使用時に方向性を有する部材（以下、単に「部材」と称する）をシャフト本体に取り付けるに際しては、シャフト本体の方向性に部材の方向性が正確に合致するように、シャフト本体に部材を取り付けなければならない。しかしながら、シャフト本体に左右一対の突条が設けられているだけでは、左右一対の突条が左右均等な角度となるようにシャフト本体に対して部材を位置合わせすることが困難であり、シャフト本体への部材の取付作業が煩雑であるといった特異な問題を生じる。
【００１７】
これに対して、シャフト本体に等間隔で配置された３つの突条を備えたスポーツ道具用シャフトであれば、シャフト本体に部材を取り付けるに際して、３つの内の１つの突条を、シャフト本体の前面の中央部分または後面の中央部分の目安とすることができる。よって、残りの２つの突条が左右均等な角度となるようにシャフト本体に対して部材を位置合わせすることが容易となり、シャフト本体への部材の取付作業を簡便化することができる。
【００１８】
上述した手段において、
「使用に際して、前記シャフト本体が前記流体に対して方向性を有さずに相対的に移動することを特徴とするスポーツ道具用シャフト」
としてもよい。
【００１９】
釣り針を投入後の釣竿や旗を掲げている最中の団旗等は、シャフト本体に多様な方向から風が当たるものであり、シャフト本体が流体に対して方向性を有さずに相対的に移動するスポーツ道具であるが、このようなスポーツ道具では、逐次変化する流体の流れ方向に対して左右一対の突条が左右均等な角度となるようにシャフト本体を回転させることで、流体による抗力を良好に減少させることができる。しかしながら、流体の流れ方向が大きく変化すると、これに応じてシャフト本体を大きく回転させなければならない。特に、シャフト本体の回転させる向きを誤ると、シャフト本体を３６０度近く回転させなければ、左右一対の突条を流体の流れの向きに適切に位置合わせすることができなくなる場合もある。このため、流体の流れ方向の変化に応じた突条の位置調節が面倒で、使用勝手に劣るといった特異な問題を生じる。
【００２０】
これに対して、シャフト本体に等間隔で配置された３つの突条を備えたスポーツ道具用シャフトであれば、例えば図２（ａ）に示すように、流体の流れ方向に対して全ての突条３０が左右均等に位置していない状態から、２つの突条を左右均等に位置させようとした場合、シャフト本体を僅かに回転させれば、図２（ｂ）に示すように、２つの突条をシャフト本体の前面に、左右均等に位置させたり、図２（ｃ）に示すように、２つの突条をシャフト本体の後面に、左右均等に位置させたりすることができる。また、２つの突条を、常時、シャフト本体の前面または後面に位置させたい場合であっても、突条が１２０度間隔で３つ存在することから、シャフト本体を最大でも１２０度回転させれば、３つの内の２つの突条を、シャフト本体の前面または後面に位置させることができる。よって、流体の流れ方向の変化に応じた突条の位置調節がし易く、使用勝手を向上させることができる。
【発明の効果】
【００２１】
上述した通り、本発明によれば、流体による応力が加わってもシャフト本体に左右のブレを生じ難いスポーツ道具用シャフトを提供することができる。
【発明を実施するための最良の形態】
【００２２】
本発明に係るスポーツ道具用シャフトの実施形態としての一例を、以下、図面に従って詳細に説明する。
【００２３】
図３に、スポーツ道具の一例であるゴルフクラブ５０を示す。このゴルフクラブ５０は、基端部分が握り部２０ａとされたスポーツ道具用シャフト（以下、単に「シャフト」という）１０と、このシャフト１０の先端部分に取り付けられたクラブヘッド４０とを備えるものである。そして、シャフト１０は、円柱状に形成されたシャフト本体２０と、このシャフト本体２０の外周面に１２０度間隔で長手方向に延設され、シャフト本体２０が流体に対して相対的に移動する際に生じる抗力を減少させる突条３０とを備えたものとして構成されている。
【００２４】
なお、ゴルフクラブ５０は、使用時にスイングされるものであり、流体である空気に対して方向性を有して使用されるスポーツ道具である。そして、シャフト１０は、シャフト本体２０が流体に対して方向性を有して相対的に移動するものである。
【００２５】
シャフト本体２０は、上述の通り円柱状に形成されているのであるが、具体的には、内部が中空の円筒状に形成されており、金属や樹脂等の適宜材質により形成されている。
【００２６】
シャフト本体２０の外周面に１２０度間隔で延設された３つの各突条３０は、熱硬化性樹脂や熱可塑性樹脂等の樹脂により形成されたものであり、流動性のある状態でノズルから押し出されて塗装前のシャフト本体２０の外周面に塗着されたものである。よって、突条３０の断面は、略三角形状または略半円形状となっている。また、各突条３０は、幅寸法が０．５〜１．０ｍｍ、より具体的には０．７ｍｍ程度、高さ寸法が０．０５〜０．５ｍｍ、より具体的には０．１５ｍｍ程度に形成されている。ここで、「程度」とは、数値の±１０％として定義し、以下に使用する「程度」も同様である。
【００２７】
また、突条３０は、シャフト本体２０の先端から５０〜１５０ｍｍ、より具体態には１００ｍｍ程度、離間しており、クラブヘッド４０の取付穴にシャフト本体２０の先端部分を挿入してシャフト本体２０にクラブヘッド４０を取り付ける際に、邪魔にならないものとなっている。
【００２８】
なお、突条３０としては、シャフト本体２０に塗着された樹脂により形成されたものに限らず、線状の金属や樹脂をシャフト本体２０に接着したものであってもよい。また、突条３０を、シャフト本体２０に塗布した塗料を重ね塗りすることにより形成してもよく、或いは、シャフト本体２０の外周面の適宜部分を切削や研削により除去し、残余の部分によって形成してもよい。
【００２９】
ところで、シャフト１０にクラブヘッド４０を取り付ける際には、クラブヘッド４０の前後方向とシャフト１０の前後方向とを正確に位置合わせしなければならないのであるが、３つの突条３０の内、１つの突条３０を、クラブヘッド４０の後面または前面に位置合わせすることで、クラブヘッド４０とシャフト１０との正確な位置合わせを容易に行うことができる。
【００３０】
ここで、１つの突条３０をクラブヘッド４０の後面側に向け、この１つの突条３０をシャフト本体２０の後面の中央部分に配置させれば、この突条３０によって、シャフト本体２０の後方に生じるカルマン渦を、シャフト本体２０の左右に入り乱れることなく、シャフト本体２０の後方に整然と流すことができ（図１（ａ）参照）、シャフト本体２０に左右のブレを生じ難くすることができる。また、２つの突条３０がシャフト本体２０の前面の左右に均等に配置されることから、この２つの突条３０によって、シャフト本体２０に加わる空気の抗力を減少させることができる。
【００３１】
一方、１つの突条３０をクラブヘッド４０の前面側に向け、この１つの突条３０をシャフト本体２０の前面の中央部分に配置させれば、この突条３０によって、シャフト本体２０の前面に当たる空気を、シャフト本体２０の左右に均等に振り分けて流すことができ（図１（ｂ）参照）、シャフト本体２０に左右のブレを生じ難くすることができる。また、２つの突条３０がシャフト本体２０の後面の左右に均等に配置されることから、この２つの突条３０によって、シャフト本体２０に加わる空気の抗力を減少させることができる。
【００３２】
図４に、スポーツ道具の別例である釣竿６０を示す。この釣竿６０は、基端部分が握り部２０ａとされると共に先端部分が穂先とされたシャフト１０を備えるものである。そして、シャフト１０は、円柱状に形成されたシャフト本体２０と、このシャフト本体２０の外周面に１２０度間隔で長手方向に延設され、シャフト本体２０が流体に対して相対的に移動する際に生じる抗力を減少させる突条３０とを備えたものとして構成されている。
【００３３】
なお、この釣竿６０は、釣糸ガイドが取り付けられた投げ釣り用のものではなく、使用時に多様な方向から風を受けるものであり、流体である空気に対して方向性を有さずに使用されるスポーツ道具である。そして、シャフト１０は、シャフト本体２０が流体に対して方向性を有さずに相対的に移動するものである。
【００３４】
シャフト本体２０は、互いに挿嵌された複数のシャフト体から構成されている。なお、本例では、握り部２０ａを有する第１シャフト２１と、シャフト１０の中間部分を構成する第２シャフト体２２と、穂先を構成する第３シャフト体２３との３つのシャフト体から構成されたシャフト本体２０を例示するが、２つのシャフト体、或いは、４つ以上のシャフト体から構成されたものであってもよい。
【００３５】
シャフト本体２０に延設された突条３０は、互いに挿嵌される外側のシャフト体である第１シャフト体２１においては、先端部分の近傍に配設されているのであるが、互いに挿嵌される内側のシャフト体である第２シャフト体２２においては、基端部分のから大きく離間するように配設されている。これにより、第１シャフト体２１の先端部分の内側に第２シャフト体２２の基端部分を挿入して相互を接続したり、第１シャフト体２１内部に収容された第２シャフト体２２を引き出してシャフト本体２０全体を伸張させたりする際に、突条３０が邪魔になることがない。
【００３６】
一方、穂先を構成する先端側のシャフト体、すなわち「第３シャフト体２３」の外周面には、突条３０が設けられていない。このような構成とすることで、魚の微妙なアタリを捕らえることができるように柔軟にしなる穂先の性能が、突条３０によって低下してしまうことを防止することができる。
【００３７】
なお、突条３０のその他の構成については、上述のゴルフクラブ５０の突条３０と同様であり、詳細は省略する。
【００３８】
釣竿６０では、釣りの最中にシャフト本体２０に風が当たるため、風による抵抗を受けて竿先を操作する際に多大な労力を要するのであるが、３つの内の２つの突条３０をシャフト本体２０の前面または後面の左右に均等に配置させることで、風の抵抗を低減させることができる。よって、この釣竿６０は、操作性に優れたものとなる。また、残りの１つの突条３０がシャフト本体２０の前面または後面の中央部分に配置されるため、この突条３０によって、シャフト本体２０に左右のブレを生じ難くすることができることは、上述した例と同様である。さらに、シャフト体２０には多様な方向から風が当たるため、風向きに合わせて突条３０の位置を変化させるべくシャフト本体２０を回転さなければならないのであるが、シャフト本体２０を僅かに回転させれば、３つの内の２つの突条３０が、風の抵抗を低減させるのに適切な位置となるので（図２参照）、使用勝手に優れた釣竿５０となる。
【００３９】
特に、鮎の友釣り用の釣竿５０は、７ｍ以上のものが一般的であり、１０ｍ程度のものもあり、風の影響を大きく受けるため、このような釣竿５０のシャフト１０として、本発明に係るシャフト１０を採用するのは好適である。
【００４０】
以上、本発明に係るスポーツ道具用シャフトを、スポーツ道具であるゴルフクラブや釣竿に採用した例を説明したが、本発明に係るスポーツ道具用シャフトは、ゴルフクラブや釣竿に限らず、例えば、テニスラケットのシャフト、バトミントンラケットのシャフト、バット自体、ヨットの帆のポール、応援団旗のポール、ボートのオールのシャフト、タモ網のロッド等、他のスポーツ道具のシャフトとして採用することができるものである。
【図面の簡単な説明】
【００４１】
【図１】突条の機能を示す説明図である。
【図２】シャフト本体を回転させる状態を示す説明図である。
【図３】本発明に係るスポーツ道具用シャフトを採用したゴルフクラブを示す正面図である。
【図４】本発明に係るスポーツ道具用シャフトを採用した釣竿を示す正面図である。
【図５】２つの突条を設けたシャフト本体に生じる問題を示す説明図である。
【符号の説明】
【００４２】
１０    スポーツ道具用シャフト（シャフト）
２０    シャフト本体
２０ａ  握り部
２１    第１シャフト体
２２    第２シャフト体
２３    第３シャフト体
３０    突条
４０    クラブヘッド
５０    ゴルフクラブ
６０    釣竿
【図１】
2006094887.tif 000003
【図２】
2006094887.tif 000004
【図３】
2006094887.tif 000005
【図４】
2006094887.tif 000006
【図５】
2006094887.tif 000007